(57)【特許請求の範囲】
【請求項１】
家具構造体に支持させたハンガーの掛止部を、天板下面に近接する位置において下肢空間に収まる収納位置と下肢空間から外方に突出する使用位置との間で移動可能となる可動掛止部と、下肢空間の内奥に定在する固定掛止部とに役割分担させて構成したことを特徴とする天板付家具。
【請求項２】
ハンガーの基部が、天板下面に取り付けた固定レールと、この固定レールから出し入れ可能な可動レールとを具備し、前記可動レールに前記可動掛止部を設けている請求項１記載の天板付家具。
【請求項３】
前記固定レールに前記固定掛止部を設けている請求項２記載の天板付家具。
【請求項４】
可動掛止部は可動レールに対して更にスライド可能に取り付けたものであり、この可動掛止部は、荷重が掛かることによって可動レールに対するスライド抵抗を増大させるように構成されている請求項１〜３のいずれかに記載の天板付家具。
【請求項５】
掛止部が上向きに開くフック状をなしている請求項１〜４のいずれかに記載の天板付家具。
【請求項６】
天板、側板及び背板によって三方を囲まれる下肢空間において、ハンガーを、少なくとも天板と側板の入隅部に沿って可動掛止部を移動させ得るように配置していることを特徴とする請求項１〜５のいずれかに記載の天板付家具。
【請求項７】
ハンガーを、家具構造体である天板に幅方向位置変更可能に取り付け得るようにしている請求項１〜５のいずれかに記載の天板付家具。
【発明の詳細な説明】
【技術分野】
【０００１】
本発明は、携帯品や荷物などの物品をデスク等のまわりに無理なく適切に仮置きしておけるようにした天板付家具に関するものである。
【背景技術】
【０００２】
携帯品や荷物などの物品をデスク等のまわりに仮置きする場合、折り畳み傘などの比較的小物の物品は置き場所に困るし、カバン等の荷物は床に置くことで汚れやすくなる。そこで、このような不具合を解消すべく、例えば特許文献１に示すもの等が知られている。
【０００３】
このものは、棚を構成する金属棒材を棚受から側方に突出させて、その突出位置に、金属棒材を折り曲げて逆Ｕ字状のフックを形成し、このフックにカバンや傘を掛けられるように構成されている。このように机の外側方にフックを設ける手法そのものは、特許文献１に始まったものではなく、従前から種々行われているところである。
【特許文献１】特開２００７−１５２００６号公報
【発明の開示】
【発明が解決しようとする課題】
【０００４】
ところが、このような構造は、１人、２人用のデスクなら利便性はあるものの、３人以上のデスクだと中に着座する人は使えないという不都合がある。また、デスクの意匠的外観を著しく損ねるものである。すなわち、携帯品や小物などの物品がデスクの側方に露出すること自体、乱雑な印象を与えるのに加えて、このような場所に物品を掛けることで意匠的な配慮がされた家具本来の化粧機能が奪われ、意匠性を大きく犠牲にすることになる。
【０００５】
本発明は、このような課題に着目してなされたものであって、携帯品や荷物などの物品をデスク等のまわりに無理なく適切に仮置きすることができ、大型デスク等にも対応できて、使い勝手も良好となるようにした、従来にはない構造及び機能からなる天板付家具を提供することを目的としている。
【課題を解決するための手段】
【０００６】
本発明は、かかる目的を達成するために、次のような手段を講じたものである。
【０００７】
すなわち、本発明の天板付家具は、家具構造体に支持させたハンガーの掛止部を、天板下面に近接する位置において下肢空間に収まる収納位置と下肢空間から外方に突出する使用位置との間で移動可能となる可動掛止部と、下肢空間の内奥に定在する固定掛止部とに役割分担させて構成したことを特徴とする。
【０００８】
このようなものであると、使用位置がデスク等の端部に限定されないので、大型デスク等にも有効に対応することができる。また、置き場所に困る携帯品や荷物などの物品を床に置かずに仮置きすることができ、汚損を有効に防止することができる。しかも、下肢空間のデッドスペースを利用するので別途に収納場所等を確保する必要がなく、物品も下肢空間に隠れ、家具の外観を損ねることもない。さらに、必要なときには下肢空間から引き出すことで、掛止部の位置を確認しながら物品の係脱を適切に行うことができて使い勝手も良好となる。
【０００９】
また、掛止部は、下肢空間から突没する可動掛止部と、下肢空間の内奥に定在する固定掛止部とに役割分担させて構成されているため、利用頻度等に応じた掛止部の適切な使い分けも可能となる。
【００１０】
そのような構造を簡素に実現するためには、ハンガーの基部が、天板下面に取り付けた固定レールと、この固定レールから出し入れ可能な可動レールとを具備し、前記可動レールに前記可動掛止部を設けていることが好適である。
【００１１】
さらには、前記固定レールに固定掛止部を設けていることが好ましい。
【００１２】
目的、用途に応じて掛止部の自由度をより有効に高めるためには、可動掛止部は可動レールに対して更にスライド可能に取り付けたものであり、この可動掛止部は、荷重が掛かることによって可動レールに対するスライド抵抗を増大させるように構成されていることが効果的である。
【００１３】
物品を引っ掛けて吊るす態様のほかに、物品を横にしても載せ置ける態様を可能とするためには、掛止部を上向きに開くフック状のものにしておくことが便利である。
【００１４】
特に好ましい使用状態としては、天板、側板及び背板によって三方を囲まれる下肢空間において、ハンガーを、少なくとも天板と側板の入隅部に沿って可動掛止部を移動させ得るように配置しているものが挙げられる。
【００１５】
３人以上が横に並ぶ態様でも問題なく使用することができ、フリーアドレスタイプのデスクなどにも有効に対応可能とするためには、ハンガーを、家具構造体である天板に幅方向位置変更可能に取り付け得るようにしていることが望ましい。
【発明の効果】
【００１６】
本発明は、以上説明した構成であるから、通常は天板の端部付近で使用されることが多くなることは予想されるものの、基本的には使用位置が天板の端部に限定されることがない上に、携帯品や荷物などの物品をデスク等のまわりに無理なく適切に仮置きすることができて、出し入れも簡単、的確で使い勝手に優れた従来にはない斬新な構造及び機能の天板付家具を提供することが可能となる。
【発明を実施するための最良の形態】
【００１７】
以下、本発明の一実施形態を、図面を参照して説明する。
【００１８】
図１は、この実施形態の天板付家具であるデスクを示している。このデスクは、家具構造体である天板１にハンガー２を支持させて、そのハンガー２の掛止部２ａ、２ｂに着座者の携帯品や荷物などの物品Ａを吊るすなどして仮置きしておけるようにしたものである。
【００１９】
図１〜図４等に示すように、ハンガー２の基部２ｘは、天板１の下面に取り付けた固定レール２１と、この固定レール２１から出し入れ可能な可動レール２２とから構成される。固定レール２１は、図２及び図３に示すように、中空状のガイド枠２１ａ及びこのガイド枠２１ａの中空部を側方へ連続開口させるスリット２１ｂを有している。一方、可動レール２２は、図２及び図４に示すように、スライド片２２ａ及びこのスライド片２２ａから側方へ持ち出される中空状のフック部材取付枠２２ｂを有しており、このフック部材取付枠２２ｂの中空部を更に側方へ連続開口させるスリット２２ｃを形成している。
【００２０】
そして、可動レール２２のスライド片２２ａを固定レール２１のガイド枠２１ａの中空部に挿入し、その前後において可動レール２２のフック部材取付枠２２ｂに可動フック部材２３を嵌め込み、可動レール２２の前後端を閉止する位置に把手部材２４及び抜け止め部材２５を嵌め合わせたものである。把手部材２４及び抜け止め部材２５には可動レール２２の端部と嵌り合う嵌合部２４ａ、２５ａが設けてあり、更に把手部材２４には下方から操作可能な指掛け部２４ｂが設けられてある。固定レール２１の後端部の側面には、固定掛止部となる固定フック部材２６がビス等によって取り付けられる。
【００２１】
そして、可動フック部材２３の一部に前述した可動掛止部２ａを設け、固定フック部材２６に固定掛止部２ｂを設けている。
【００２２】
可動フック部材２３は、図４に示すように、可動レール２２のフック部材取付枠２２ｂに基端の立壁２３ａを嵌め込まれ、この立壁２３ａの側面からスリット２２ｃを介して側方に水平連結部２３ｂを持ち出し、その水平連結部２３ｂにＬ字形の可動掛止部２ａを形成したもので、これら立壁２３ａ、水平連結部２３ｂ及び可動掛止部２ａの立片部分２ａ１からなるＨ状の部分が可動レール２２のスリット２２ｃの開口周辺部を挟むように取り付けられるようになっている。可動掛止部２ａは、更に先端２ａ´が斜め上方に屈曲しており、全体に上向きに開く形状をなしている。この可動掛止部２ａは、可動フック部材２３がフック部材取付枠２２ｂに沿ってスライドすることで可動レール２２に対して移動可能とされている。さらに、物品を掛止しない状態で、可動掛止部２ａはフック部材取付枠２２ｂに沿って更に位置変更可能であるのに対して、物品を掛止することにより、可動掛止部２ａの先端２ａ´側に偏荷重が作用すると、取付部とフック部材取付枠２２ｂの立壁部分とのスライド摩擦抵抗が増大するようになっている。
【００２３】
固定フック部材２６は、図３に示すように、上記可動フック部材２３と一部において同一形状のもの、すなわち、立壁及び水平片が無いほかはそれ自体がＬ字形をなす固定掛止部２ｂをなすもので、先端２ｂ´が斜め上方に屈曲しており、全体に上向きに開く形状をなしている。そして、この固定掛止部２ｂの立片部分２ｂ１を固定レール２１のガイド枠２１ａの外壁にビス等により固定している。
【００２４】
そして、前記固定レール２１のガイド枠２１ａを構成する頂片２１ｃを適宜の手段により天板１の下面に取り付け、この固定レール２１に可動レール２２を図５に示すようにスライド可能に係り合わせて、可動掛止部２ａを天板下面１ａに近接する位置において下肢空間Ｓ内に収まる格納位置（図１参照）と下肢空間から外方に突出する使用位置（図６参照）との間で移動させ得るようにしている。
【００２５】
なお、図１に示すように、ハンガー２は、デスクＡを構成する天板１、側板３及び背板４によって三方を囲まれる下肢空間Ｓにおいて、少なくとも天板１と側板３の入隅部に沿って掛止部２ａが移動することとなる。
【００２６】
一方、この実施形態では、図６に矢印で示すように、天板幅方向に沿ってハンガー２の取付位置を変更可能としている。そのために、天板１の下面に取付部として幅方向に沿って所定ピッチでスリットを設けてこのスリットに固定レール２を位置変更可能に取り付けるようにしている。勿論、天板１の下面に取付部として幅方向に延びるレールを設けてこのレールに固定レール２１を位置変更可能に係り合わせるようにしても構わない。
【００２７】
以上のように、本実施形態のデスクＤは、家具構造体である天板１に支持させてハンガー２を、天板１の下面１ａに近接する位置において少なくとも一部の掛止部２ａが下肢空間Ｓ内に収まる格納位置と下肢空間Ｓから外方に突出する使用位置との間で移動可能となるように設けたものである。
【００２８】
このように構成することで、常は天板１の端部付近で使用されることが多くなることは予想されるものの、基本的には使用位置が天板の端部に限定されることがない上に、置き場所に困る携帯品や荷物、例えばカバンａ１などの物品Ａを床に置かずに仮置きすることができ、汚損を有効に防止することができる。しかも、下肢空間Ｓのデッドスペースを利用するので、別途に収納場所等を確保する必要がなく、物品Ａも下肢空間Ｓに隠れ、家具であるデスクＤの外観を損ねることもない。さらに、必要なときには下肢空間Ｓから引き出すことで、掛止部２ａの位置を確認しながら物品の係脱を行うことができ、使い勝手を有効に向上させることができる。
【００２９】
具体的には、ハンガー２の基部２ｘが、天板１の下面１ａに取り付けた固定レール２１と、この固定レール２１から出し入れ可能な可動レール２２とを具備し、可動レール２２に可動掛止部２ｂを設けているので、可動レール２２を操作するだけで複数の可動掛止部２ｂを同時に出し入れすることができるのは勿論のこと、レール２１，２２に可動掛止部２ｂを取り付けるだけでレール２１，２２の相対動作をそのまま可動掛止部２ｂの動作として利用できて構造も簡素となる。
【００３０】
特に、可動掛止部２ｂは可動レール２２に対して更にスライド可能に取り付けたものであり、この可動掛止部２ｂは、荷重が掛かることによって可動レール２２に対するスライド抵抗を増大させるように構成されているので、可動掛止部２ｂを目的・用途に応じた自由なピッチで配置することができ、一旦物品Ａを掛止し荷重が掛かれば摩擦抵抗の増大により不用意にスライドさせることなく当初の間隔を維持して可動レール２２を適切に出し入れすることができる。
【００３１】
また、天板１の高さが限られている状況下において、図７に示すように２つ以上の可動掛止部２ｂ、２ｂ…にまたがって例えばカバンａ１のベルトａ１´等を架け渡したような場合に、カバンａ１が垂れ下がって底が床に着くこと等を上記の摩擦抵抗によって適切に防止することができる。勿論、固定掛止部２ａを併用してベルトａ１´等を掛け渡す利用の態様も可能であることは言うまでも無い。
【００３２】
より具体的には、掛止部を、下肢空間Ｓから突没する可動掛止部２ａと、下肢空間の内奥に定在する固定掛止部２ｂとに役割分担させているので、出し入れ頻度の高いカバンａ１等の物品Ａのために可動掛止部２ａを、使用頻度の低い折り畳み傘２ｂやヘルメット等の物品Ａのために固定掛止部２ｂを、それぞれ有効に使い分けることができる。
【００３３】
そして、ハンガー２の基部２ｘが、天板１の下面１ａに取り付けた固定レール２１と、この固定レール２１から出し入れ可能な可動レール２２とを具備し、可動レール２２に可動掛止部２ｂを設けるのみならず、固定レール２１に固定掛止部２ａを設けているので、可動レール２２を操作するだけで複数の可動掛止部２ｂを同時に出し入れすることができるのは勿論のこと、レール２１，２２に掛止部２ａ、２ｂを取り付けるだけでレール２１，２２の相対動作をそのまま掛止部２ａ、２ｂの相対動作として利用できて構造も簡素となる。
【００３４】
また、フックは吊り下げて使用するというのが専らの既成概念であるが、天板下の低位置にフックを設ける関係上、掛止部２ａ、２ｂを上向きに開くフック状にしておくことで、物品Ａを引っ掛けて吊るすといった通常の利用の態様のほかに、図８に示すように複数の掛止部２ａ、２ａ、…に亘って図面や証書の収納筒などを始めとする各種長尺物ａ３などの物品Ａを横に架け渡して載せ置くといった全く新たな利用の態様も可能になる。
【００３５】
そして、この実施形態では、天板１、側板３及び背板４によって三方を囲まれる下肢空間Ｓにおいて、ハンガー２を、少なくとも天板１と側板３の入隅部に沿って掛止部２ａを移動させ得るようにしているので、着座者の下肢と極力干渉せず、外観も毀損せず、ハンガー２の取付先も確保し易く、使い勝手も良好なハンガー付デスクとしての利用が可能となる。
【００３６】
さらにハンガー２を、家具構造体である天板１に幅方向位置変更可能に取り付け得るようにしているので、３人以上が横に並ぶ態様でも問題なく使用することができ、フリーアドレス用のテーブルやデスク等にも有効に対応することが可能となる。
【００３７】
なお、各部の具体的な構成は、上述した実施形態のみに限定されるものではなく、本発明の趣旨を逸脱しない範囲で種々変形が可能である。
【００３８】
例えば、上記実施形態のデスクは脚が側板タイプのものであるが、Ｌ字脚を用いたデスク等においても上記に準じた作用効果が奏される。
【００３９】
また、可動掛止部を構成するフック部材は、可動レールに適度の間隔で固定されていてもよい。
【００４０】
さらに、上記実施形態では家具構造体である天板にハンガーの基部を取り付けたが、家具構造体である側板などにハンガーの基部を取り付けるようにしても構わない。
【図面の簡単な説明】
【００４１】
【図１】本発明の一実施形態に係るハンガーを取り付けたデスクの斜視図。
【図２】同ハンガーの分解斜視図。
【図３】同ハンガーを構成する固定レールの構成を示す図。
【図４】同ハンガーを構成する可動レールの構成を示す図。
【図５】同ハンガーの組立斜視図。
【図６】同ハンガーの使用状態を示す図１に対応した斜視図。
【図７】同ハンガーの使用状態説明図。
【図８】同ハンガーの他の使用状態説明図。
【符号の説明】
【００４２】
１…家具構造体（天板）
２…ハンガー
２ａ…可動掛止部
２ｂ…固定掛止部
２ｘ…基部
３…側板
４…背板
２１…固定レール
２２…可動レール
Ｓ…下肢空間
【図１】
0005495221.tif 000002
【図２】
0005495221.tif 000003
【図３】
0005495221.tif 000004
【図４】
0005495221.tif 000005
【図５】
0005495221.tif 000006
【図６】
0005495221.tif 000007
【図７】
0005495221.tif 000008
【図８】
0005495221.tif 000009